(57)【特許請求の範囲】
【請求項１】
脚体と、この脚体により支持された座とを備える椅子において、前記座を、着座者の荷重により厚さ方向に弾性変形する荷重受部材と、前記脚体により支持され、かつ前記荷重受部材の下方に位置して、前記荷重受部材を支持する支持体とからなるものとし、かつ前記支持体を、前記荷重受部材の外周部より外方に位置する外郭部と、前記外郭部の一部より起立する起立部と、前記起立部の内面より、前記座の内方に向かって突出し、前記外郭部と荷重受部材の外周部との間隙を覆う張出部とを備え、
前記張出部の先端部は、前記荷重受部材を座の内方に向かって弾性変形させるまで、前記荷重受部材の表面に圧接していることを特徴とする椅子。
【発明の詳細な説明】
【技術分野】
【０００１】
本発明は、着座者の荷重を受ける弾性変形可能な荷重受部材を、外周部が荷重受部材の外周部より外方に位置するようにした外郭部を有する支持体をもって支持するようにした座を備える椅子に関する。
【背景技術】
【０００２】
従来の椅子には、着座感をよくするため、着座者の荷重を受ける座の上面における荷重受部材を、弾性変形可能なクッション体等をもって構成しているものが多い。
このような椅子には、椅子を移動したとき、荷重受部材が直接、他の家具や壁等に当接して損傷したり破損したりするのを防止するため、荷重受部材を支持する支持体の外周部を、荷重受部材の外周部より外方に突出させて硬質の外郭部を形成し、荷重受部材を防護するようにしたものがある(例えば特許文献１参照)。
【先行技術文献】
【特許文献】
【０００３】
【特許文献１】特許第４０４０７４４号公報
【発明の概要】
【発明が解決しようとする課題】
【０００４】
しかし、上記のような従来の椅子においては、荷重受部材の外周部と、支持体の外郭部との隙間に塵埃や異物が侵入し易く、それを除去し難いという問題がある。
特に、支持体における外郭部の一部より起立する起立部により、背凭れを形成した椅子においては、背凭れと荷重受部材の外周部との隙間に侵入した異物等は、背凭れが妨げとなって、除去するのが困難である。
【０００５】
本発明は、従来の技術が有する上記のような問題点に鑑みてなされたもので、弾性変形する荷重受部材の外周部と、支持体における外郭部との隙間に、塵埃や異物等が侵入するのを、簡単な構造で、効率よく防止しうるようにした椅子を提供することを目的としている。
【課題を解決するための手段】
【０００６】
本発明によると、上記課題は、次のようにして解決される。
（１）脚体と、この脚体により支持された座とを備える椅子において、前記座を、着座者の荷重により厚さ方向に弾性変形する荷重受部材と、前記脚体により支持され、かつ前記荷重受部材の下方に位置して、前記荷重受部材を支持する支持体とからなるものとし、かつ前記支持体を、前記荷重受部材の外周部より外方に位置する外郭部と、前記外郭部の一部より起立する起立部と、前記起立部の内面より、前記座の内方に向かって突出し、前記外郭部と荷重受部材の外周部との間隙を覆う張出部とを備えるものとする。
【０００７】
このような構成によると、起立部の内面に設けた張出部が、荷重受部材の外周部と支持体の外郭部との隙間を覆うので、その部分の上記隙間への塵埃や異物等の侵入が、簡単な構造をもって、効率よく防止される。
【０００８】
（２）上記(１)項において、前記張出部の上面は、上方に開放していることとする。
【０００９】
このような構成によると、張出部上に溜まった塵埃や異物等を、容易に除去することができる。
【００１０】
（３）上記(１)または(２)項において、前記張出部の先端部は、前記荷重受部材に当接していることとする。
【００１１】
このような構成によると、荷重受部材の外周部と支持体の外郭部との隙間への塵埃や異物等の侵入を確実に防止することができる。
【００１２】
（４）上記(１)〜(３)項のいずれかにおいて、前記張出部の先端部は、前記荷重受部材を座の内方に向かって弾性変形させるまで、前記荷重受部材の表面に圧接していることとする。
【００１３】
このような構成によると、荷重受部材の外周部と支持体の外郭部との隙間への塵埃や異物等の侵入を、より確実に防止することができる。
【００１４】
（５）上記(１)〜(４)項のいずれかにおいて、前記起立部を背凭れとする。
【００１５】
このような構成によると、背凭れが妨げとなって、除去するのが困難であった、背凭れと荷重受部材の外周部との間の隙間への塵埃や異物等の侵入を確実に防止できるので、その部分の異物等の除去に悩まされることがなくなる。
【発明の効果】
【００１６】
本発明によると、弾性変形する荷重受部材の外周部と、支持体における外郭部との隙間に、塵埃や異物等が侵入するのを、簡単な構造で、効率よく防止しうるようにした椅子を提供することができる。
【図面の簡単な説明】
【００１７】
【図１】本発明の椅子の一実施形態を、右斜め前方より見た斜視図である。
【図２】同じく、正面図である。
【図３】図２のIII−III線における拡大縦断側面図である。
【発明を実施するための形態】
【００１８】
以下、本発明の椅子の一実施形態を、図１〜図３を参照して説明する。
この椅子は、脚体１と、この脚体１により支持された座２とを備えている。
【００１９】
脚体１は、先端部にキャスタ３を設けた５個の脚杆４を、ボス部５から放射状に延出させてなる台脚６の中央のボス部５に、上下方向に伸縮可能としたガススプリングよりなる脚柱７を立設し、この脚柱７の上端に円盤状の支基８を設けたものよりなっている。
【００２０】
台脚６におけるボス部５の上部には、脚柱７と同心円状をなす足置きリング９が、ボス部５から放射状に延出する複数のアーム１０の先端部をもって支持されている。
また、支基８の中央に設けた下向きのボス部８ａの外周には、脚柱７におけるガススプリングを操作するための円形のリング１２が、ボス部８ａから放射状に延出する複数のアーム１１(その１個のみを図示する)をもって支持されている。
【００２１】
座２は、着座者の荷重により厚さ方向に弾性変形する荷重受部材１３と、脚体１により支持され、かつ荷重受部材１３の下方に位置して、荷重受部材１３を支持する支持体１４とからなっている。
【００２２】
支持体１４は、硬質合成樹脂材料により形成されたアウターシェルをなすもので、円板状の底部１５と、底部１５の外周部から外上方に円弧状に突出する外郭部１６と、外郭部１６の後端より起立する起立部１７と、起立部１７の内面より、座２の内方に向かって突出し、外郭部１６と荷重受部材１３の外周部との間隙Ｓを覆う張出部１８とを備えている。
【００２３】
底部１５の中央には、座２が圧縮または膨張する際の空気の逃がし孔１９が設けられている。
また、底部１５の上面には、逃がし孔１９と同心円をなす複数の環状リブ２０と、最小の環状リブ２０から放射状に延出する複数の放射状リブ２１とが設けられている。
【００２４】
起立部１７は、支持体１４の後部より平面視円弧状をなして起立することにより背凭れ２２を形成している。
この背凭れ２２の上端部は、後下方に倒立Ｕ状に反り返されて、手掛け部２２ａをなしている。
【００２５】
張出部１８は、平面視円弧状をなす背凭れ２２の前面下部において、平面視三日月状に設けられ、荷重受部材１３の外周部と外郭部１６との隙間Ｓの上方を覆っている。
【００２６】
支持体１４は、その底部１５を支基８の上面に載置した状態で、逃がし孔１９を中心とする円周方向の複数箇所に設けた雌ねじ孔２３(その１個のみを図示する)に、支基８の下方より挿通させたボルト２３を螺合して締め付けることにより、支基８上に強固に固着されている。
【００２７】
荷重受部材１３は、硬質合成樹脂材料により形成された円板状のインナーシェルをなす芯材２５と、その上面と外周部とを覆う発泡ポリウレタン等のクッション体２６と、さらにその上面と外周部とを覆う表皮材２７とからなっている。
【００２８】
表皮材２７は、その周縁部に形成した袋状部２７ａに挿通させた紐等の索条２８を、芯材２５の下方において引き締めて縛ることにより、クッション体２６を包んだ状態で、芯材２５に装着されている。
【００２９】
芯材２５の中央には、支持体１４の底部１５に設けた逃がし孔１９と同様の逃がし孔２９が設けられ、これにより、クッション体２６が圧縮または膨張する際の空気の流通を許容するようにしてある。
【００３０】
荷重受部材１３は、その芯材２５を支持体１４の底部１５の上面における複数の環状リブ２０と複数の放射状リブ２１との上端上に載置した状態で、逃がし孔２９を中心とする円周方向の複数箇所に設けた雌ねじ孔３０(その１個のみを図示する)に、支持体１４の底部１５の下方より挿通させたボルト３１を螺合して締め付けることにより、支持体１４上に強固に固着されている。
【００３１】
この実施形態においては、図３に示すように、支持体１４における起立部１７の内面に設けた張出部１８が、荷重受部材１３の外周部と支持体１４の外郭部１６との隙間Ｓを覆うので、その部分の上記隙間Ｓへの塵埃や異物等の侵入が、簡単な構造で、効果的に防止される。
【００３２】
また、この実施形態においては、張出部１８は、起立部１７の内面より前方に向かってほぼ水平に突出し、その上面が平面をなして上方に開放しているので、張出部１８上に溜まった塵埃や異物等を、容易に除去することができる。
【００３３】
さらに、図３に示すように、張出部１８の先端部が、荷重受部材１３におけるクッション体２６を座２の内方に向かって弾性変形させるまで、荷重受部材１３における表皮材２７の表面に圧接させてあるので、荷重受部材１３の外周部と支持体１４の外郭部１６との隙間Ｓへの塵埃や異物等の侵入を、より確実に防止することができる。
なお、張出部１８の先端部が、荷重受部材１３における表皮材２７の表面に当接するだけでも、隙間Ｓへの塵埃や異物等の侵入を、十分防止することができる。
【００３４】
この実施形態においては、起立部１７を背凭れ２２としてあるので、背凭れ２２の下端部と荷重受部材１３の外周部との間の隙間Ｓに溜まった異物等を除去することは、背凭れ２２が妨げとなって、困難であるが、張出部１８を設けたことによって、隙間Ｓへの塵埃や異物等の侵入を確実に防止できるので、その部分の異物等の除去に悩まされることがなくなる。
【００３５】
本発明は、上記実施形態のみに限定されるものではなく、特許請求の範囲を逸脱することなく、例えば、次のような幾多の変形した態様での実施が可能である。
(１)  張出部１８の先端部が、荷重受部材１３の上端に当接するようにする。
(２)  張出部１８の上面を、後上方または後下方に傾斜する傾斜面とする。
【符号の説明】
【００３６】
１  脚体
２  座
３  キャスタ
４  脚杆
５  ボス部
６  台脚
７  脚柱
８  支基
８ａボス部
９  足置きリング
１０  アーム
１１  アーム
１２  リング
１３  荷重受部材
１４  支持体
１５  底部
１６  外郭部
１７  起立部
１８  張出部
１９  逃がし孔
２０  環状リブ
２１  放射状リブ
２２  背凭れ
２２ａ手掛け部
２３  雌ねじ孔
２４  ボルト
２５  芯材
２６  クッション体
２７  表皮材
２７ａ袋状部
２８  索条
２９  逃がし孔
３０  雌ねじ孔
３１  ボルト
Ｓ  間隙
【図１】
0006669534.tif 000002
【図２】
0006669534.tif 000003
【図３】
0006669534.tif 000004